(57)【要約】【課題】１回のリモコン操作で、１つの機器に対して複数の制御を順次行う事や、複数の機器の一連とした制御を行うことを可能とする。【解決手段】テンキー等の操作入力部、文字や画像を表示する表示部を有し、インターネットへ接続できる機能と、リモコン仕様データを所定のデータ通信手段により外部から受信して不揮発性記憶装置に記憶保管し、複数の機器を遠隔操作するリモコン機能とを有する携帯電話機において、各機器へ送信する複数の制御命令の送信順序及び送信間隔時間とを格納する記憶領域と、制御命令を格納された間隔時間で送信するためのタイマー機能と、格納された前記制御命令データを格納された順序に従って送信できる処理装置とを設けた。【選択図】  図１
2004180178.tif 000002
【特許請求の範囲】
【請求項１】
テンキー等の操作入力部、文字や画像を表示する表示部を有し、インターネットへ接続できる機能と、リモコン仕様データを所定のデータ通信手段により外部から受信して不揮発性記憶装置に記憶保管し、複数の機器を遠隔操作するリモコン機能とを有する携帯電話機において、各機器へ送信する複数の制御命令の送信順序及び送信間隔時間とを格納する記憶領域と、制御命令を格納された間隔時間で送信するためのタイマー機能と、格納された前記制御命令データを格納された順序に従って送信できる処理装置とを設けたことを特徴とする携帯電話機による機器の遠隔制御システム。
【請求項２】
請求項１で記載した携帯電話機において、機器を制御する制御信号、制御間隔時間、及びその手順を、インターネットを介しデータセンターへアップロードする機能と、機器を制御する制御信号、制御間隔時間、及びその手順を、データセンターからダウンロードする機能とを有し、該携帯電話からアップロードされた一連の制御手順を図式化する機能をデータセンターに有する機器の遠隔制御システム。
【発明の詳細な説明】
【０００１】
【発明の属する技術分野】
本発明は、電気製品に向けてリモコン信号を送出することのできる携帯電話機を用いて行う遠隔制御システムに関し、より詳細には、携帯電話機から、複数の機器へ複数の制御命令を、自動で送信できるようにしたものである。
【０００２】
【従来の技術】
従来の発明として、例えば特開２００１−２３７９２５号公報に記載されているように、各機器毎の複数のリモコン装置を、１つのリモコン装置に纏め、１つのリモコン装置で複数の機器を制御することは可能である。しかし、機器を制御するためには、１制御に対しリモコンを１回操作する必要があった。
【０００３】
【特許文献１】
特開２００１−２３７９２５号公報
【０００４】
【発明が解決しようとする課題】
従来の技術で説明したように、各機器毎の複数のリモコン装置を、１つのリモコン装置に纏め、１つのリモコン装置で複数の機器を制御することは可能である。しかしながら、機器を制御するためには、１制御に対しリモコンを１回操作する必要があった。すなわち、機器を制御する毎に、リモコンを１回ずつ操作することが必要であった。これは、帰宅時、起床時、就寝時等のある決まった一定の動作をするときに、一制御に一操作しなくてはならない。例えば、起床時には、照明装置のスイッチを入れ、次にエアコンのスイッチを入れ、温度設定を行い、風量調整を行い、次にＴＶ受像機のスイッチを入れ、チャンネルをお気に入りのものに変更する。このような動作はほぼ一定で、リモコンの一操作により一連の動きは制御されることが望ましいすがたである。本発明は、前記考えによりなされたもので、１回のリモコン操作で、１つの機器に対して複数の制御を順次行う事や、複数の機器の一連とした制御を行うことを可能とする。
【０００５】
【課題を解決するための手段】
上記の課題を解決するため、本発明では、テンキー等の操作入力部、文字や画像を表示する表示部を有し、インターネットへ接続できる機能と、リモコン仕様データを所定のデータ通信手段により外部から受信して不揮発性記憶装置に記憶保管し、複数の機器を遠隔操作するリモコン機能とを有する携帯電話機に、各機器へ送信する複数の制御命令の送信順序及び送信間隔時間とを格納する記憶領域と、一つ一つの制御命令の間隔時間を測定し、格納された前記制御命令データを格納された順序に従い、タイマー機能により、格納された間隔時間で制御命令を送信できる処理装置とを設け、これによって、リモコンの操作キーの入力により、指定の制御手順を実行させる。制御手順に従った制御命令の機器への送信はリモコン内にタイマーを持たせることで、制御手順内に予め指定した時間間隔を置いて、順次実行される。
【０００６】
また、機器の制御手順をインターネットを介してダウンロード、アップロードすることにより、インターネットのデータサーバに記憶することにより、別の人間の制御情報を一部変更するなどして、簡単に自分の生活パターンの一連の動きのリモコン制御方法を手に入れることができる。
【０００７】
【発明の実施の形態】
以下、本発明の実施の形態を図面を参照して説明する。図１は本発明の一実施例の携帯電話機のブロック構成図、図２はその外観図である。携帯電話機１は、通話及び通信を実現する為の受話部２、送話部３及びアンテナ４を備える。また、ユーザーインターフェースとして、データ通信を行う為のインターネット接続スイッチ５と、リモコンモードを開始するためのリモコン機能切替スイッチ６と、通話相手の電話機の電話番号を入力したり、リモコンモード時に各機器をリモコン操作するために使用したりする操作入力部７を備えると共に、文字データ・画像データを表示する為に設けられ、操作内容が連動して表示される液晶ディスプレイ８を備えている。携帯電話機１は携帯電話網の通話チャンネルを使って他の電話機と通話する通話モードと、インターネット接続スイッチ５を操作しインターネットに接続しデータをやり取りするデータ通信モードとからなる基本的な機能を有するのみならず、前記データ通信モードを利用して、ある電気製品の遠隔操作を行う為の、リモコン信号の生成起源となるリモコン仕様データをインターネット等の外部ネットワーク上にあるサーバから所得するリモコン仕様データ所得機能と、このリモコン仕様データを利用してリモコン信号を生成・送出し、携帯電話機１自身がリモコン装置として働く機能（リモコンモード）とを有し、携帯電話機１はリモコンモード中に各機器に制御データを送出する為の外部インターフェース１０を備えている、前記外部インターフェース１０は光通信やブルーテゥース等に対応していることが望ましい。さらに、リモコンモード中の制御操作手順の各々の間隔時間を計測するタイマー１７を有し、制御操作手順とタイマー１７の間隔時間とを関連付けて記憶することのできる不揮発性記憶装置１６を備えている。
【０００８】
マイコン１５は、内部にＣＰＵ、ＲＡＭ、ＲＯＭを含んで構成され、通信処理部１１、入力制御部１２、表示制御部１３などの各構成部を制御してこの携帯電話機１を統括している。通信処理部１１はアンテナ４を介して入力された無線信号を処理して通話音声をＡ／Ｄ変換すると共に、そのデジタル信号を適宜に変調した無線信号としてアンテナ４から送出する動作を行う。また、入力制御部１２は操作入力部７、及び接続スイッチ５切替スイッチ６からのユーザ入力に応じた操作データをマイコン１５に転送する。そして、表示制御部１３はマイコン１５の指示に従って液晶ディスプレイ９を駆動して適宜な表示データを出力させる。さらに、マイコン１５は、書き換え可能な不揮発性記憶装置１６に前記リモコン仕様データを格納している。適宜なユーザ入力データを入力制御部１２から受け取ると、適宜なリモコン仕様データを不揮発性記憶装置１６から読み出して所定のリモコンデータを生成する。このリモコンデータを無線信号制御部１４に与えると、無線信号制御部１４は所定の変調方式のリモコン信号に変換して、外部インターフェース１０を駆動する、それによりリモコン信号が外部インターフェース１０から送出される。
【０００９】
各電気機器を遠隔操作するといっても、操作手順は各人各様である。例えば、エアコンの制御だけでも、電源ＯＮ操作を行い、運転モードを冷房にし、設定を２６℃にする。この様に３段階の制御命令が必要である。また、遠隔操作する機器は多種多用な機器となってきている。図３は本発明の一実施例の使用例である。この例では、最初に照明２１のスイッチＯＮ、次にその一秒後にエアコン２２のスイッチＯＮ、そして５秒後にエアコン２２の運転モードを切り替え、３０秒後にＴＶ２３のスイッチＯＮ、そして一分後にＴＶ２３のチャンネルを切り替える一連の動作を示す。この一連の動作及び時間間隔を、図１に示すタイマー１７及び不揮発性記憶装置１６を使用して携帯電話機１に記憶させる。
【００１０】
図４は本発明の一実施例の外部ネットワークとの接続を示す。前記リモコン仕様データは各機器のメーカによるリモコンデータ提供サーバ３４によりインターネット通信網３０を介し提供される。また、携帯電話機１と前記インターネット通信網３０は、携帯電話インターネット接続センタ３２及び携帯電話網３１を介して接続することができる。また、本発明の制御手順・制御間隔の一連制御データは携帯電話機１からインターネット網３０を介してデータサーバ３３に登録することも可能である。データサーバ３３を管理するデータセンタのサービスとして、登録された制御データはその手順が目で見てわかるように図式化する機能を設ける。図５はデータサーバ３３にアクセスし表示される画面の一例である。また、パソコン４０を用い、データサーバ３３にアクセスし登録してある自分以外のデータを閲覧し、携帯電話機１にダウンロードすることも可能とする。
【００１１】
【発明の効果】
以上説明したように、本発明の機器の遠隔制御システムは、電気製品のリモコン信号の起源となるデータを適宜なデータ通信手段により所得することができ、このデータを複数記憶しておくことにより、これ一台で複数の機器のリモコン装置として機能することができる。また、一連の動作を記憶することにより、自分の生活パターンにあった一連の制御を、１つの操作で行うことができる。
【図面の簡単な説明】
【図１】本発明の一実施例の携帯電話機のブロック構成図。
【図２】本発明の一実施例の携帯電話機の外観図。
【図３】本発明の一実施例の使用例を示す図。
【図４】本発明の一実施例の外部ネットワークとの接続図。
【図５】データサーバにアクセスし表示される画面の一例を示す図。
【符号の説明】
１…携帯電話機、２…受話部、３…送話部、４…アンテナ、５…インターネット接続スイッチ、６…リモコン機能切替スイッチ、７…操作入力部、８…液晶ディスプレイ、１０…外部インターフェース、１１…通信処理部、１２…入力制御部、１３…表示制御部、１４…無線信号制御部、１５…マイコン、１６…不揮発性記憶装置、１７…タイマー、２１…照明機器、２２…エアコン、２３…ＴＶ、３０…インターネット網、３１…携帯電話網、３２…携帯電話インターネット接続センタ、３３…データサーバ、３４…リモコンデータ提供サーバ、４０…パソコン。
【図１】
2004180178.tif 000003
【図２】
2004180178.tif 000004
【図３】
2004180178.tif 000005
【図４】
2004180178.tif 000006
【図５】
2004180178.tif 000007